(57)【要約】  ターボ機械、並びに第１のケーシングと第２のケーシングとを共に結合するための結合装置及び方法が提供される。第１のケーシング及び第２のケーシングは、その嵌合フランジに定められ且つ位置ずれすることができる嵌合ボア孔を含む。結合装置は、嵌合ボア孔のうちの一方内に挿入可能及び位置付け可能にされたブッシュと、ブッシュ並びに嵌合ボア孔のうちの他方内に挿入可能及び位置付け可能にされたピンと、を含むことができる。ブッシュ及びピンは各々、ボア孔が位置ずれしたときに嵌合ボア孔内への挿入を可能にし、従って、第１のケーシングと第２のケーシングとを共に結合することを可能にする偏心特徴要素を含むことができる。【選択図】      図３
2016531243.tif 000002
【特許請求の範囲】
【請求項１】
ガスタービンシステム（１０）の第１のケーシング（３２）と第２のケーシング（５２）とを共に結合するための結合装置（１００）であって、前記第１のケーシングが第１のフランジボア孔（４０）を定める第１のフランジ（３８）を含み、前記第２のケーシングが第２のフランジボア孔（６０）を定める第２のフランジ（５８）を含み、前記第１のフランジ（３８）及び前記第２のフランジ（５８）が共に当接しており、
前記結合装置（１００）が、
前記第１のフランジボア孔（４０）及び前記第２のフランジボア孔（６０）のうちの一方内に挿入可能及び位置付け可能にされたブッシュ（１０２）と、
前記ブッシュ（１０２）並びに前記第１のフランジボア孔（４０）及び前記第２のフランジボア孔（６０）のうちの他方内に挿入可能及び位置付け可能にされたピン（１０４）と、
を備え、前記ブッシュ（１０２）及びピン（１０４）が各々偏心特徴要素を含む、結合装置（１００）。
【請求項２】
前記ブッシュ（１０２）は、前記第１のフランジボア孔（４０）及び前記第２のフランジボア孔（６０）のうちの一方内に挿入されたときに、前記第１のフランジボア孔（４０）及び前記第２のフランジボア孔（６０）のうちの一方の内面（１１２）に接触するようなサイズにされた外面（１１０）を含む、請求項１に記載の結合装置（１００）。
【請求項３】
前記ブッシュ（１０２）がブッシュボア孔（１１４）を定め、任意選択的に前記ブッシュボア孔（１１４）の長手方向軸線が、前記ブッシュ（１０２）の長手方向軸線からオフセットされている、請求項１及び２に記載の結合装置（１００）。
【請求項４】
前記ピン（１０４）が、第１の部分（１３０）及び第２の部分（１３２）を含み、該第２の部分（１３２）が前記第１の部分（１３０）の幅よりも小さい幅を有する、請求項３に記載の結合装置（１００）。
【請求項５】
前記第１の部分（１３０）は、前記ブッシュボア孔（１１４）に挿入されたときに該ブッシュボア孔の内面（１３６）に接触するようなサイズにされた外面（１３４）を含み、前記第２の部分（１３２）は、前記第１のフランジボア孔（４０）及び前記第２のフランジボア孔（６０）のうちの他方に挿入されたときに、前記第１のフランジボア孔（４０）及び前記第２のフランジボア孔（６０）のうちの他方の内面（１４０）と接触するようなサイズにされた外面（１３８）を含み、任意選択的に前記第２の部分（１３２）の長手方向軸線が前記第１の部分（１３０）の長手方向軸線からオフセットされている、請求項４に記載の結合装置（１００）。
【請求項６】
ターボ機械（１０）であって、
第１のフランジボア孔（４０）を定める第１のフランジ（３８）を含む第１のケーシング（３２）と、
第２のフランジボア孔（６０）を定める第２のフランジ（５８）を含み、前記第１のフランジ（３８）及び前記第２のフランジ（５８）が共に当接した第２のケーシング（５２）と、
前記第１のケーシング（３２）と前記第２のケーシング（５２）とを共に結合するための結合装置（１００）と、
を備え、
前記結合装置（１００）が、
前記第１のフランジボア孔（４０）及び前記第２のフランジボア孔（６０）のうちの一方内に位置付けられたブッシュ（１０２）と、
前記ブッシュ（１０２）並びに前記第１のフランジボア孔（４０）及び前記第２のフランジボア孔（６０）のうちの他方内に位置付けられたピン（１０４）と、
を含み、前記ブッシュ（１０２）及びピン（１０４）が各々偏心特徴要素を含む、ターボ機械（１０）。
【請求項７】
前記ブッシュ（１０２）が、前記第１のフランジボア孔（４０）及び前記第２のフランジボア孔（６０）のうちの一方の内面（１１２）に接触する外面（１１０）を含む、請求項６に記載のターボ機械（１０）。
【請求項８】
前記ブッシュ（１０２）がブッシュボア孔（１１４）を定め、任意選択的に前記ブッシュボア孔（１１４）の長手方向軸線が、前記ブッシュ（１０２）の長手方向軸線からオフセットされている、請求項６に記載のターボ機械（１０）。
【請求項９】
前記ピン（１０４）が、第１の部分（１３０）及び第２の部分（１３２）を含み、該第２の部分（１３２）が前記第１の部分（１３０）の幅よりも小さい幅を有し、任意選択的に前記第１の部分（１３０）が前記ブッシュ（１０２）内に位置付けられ、前記第２の部分（１３２）が、前記第１のフランジボア孔（４０）及び前記第２のフランジボア孔（６０）のうちの他方に位置付けられ、任意選択的に前記第１の部分（１３０）が、前記ブッシュボア孔（１１４）の内面（１３６）に接触する外面（１３４）を含み、前記第２の部分（１３２）が、前記第１のフランジボア孔（４０）及び前記第２のフランジボア孔（６０）のうちの他方の内面（１４０）に接触する外面（１３８）を含む、請求項８に記載のターボ機械（１０）。
【請求項１０】
前記第２の部分（１３２）の長手方向軸線が前記第１の部分（１３０）の長手方向軸線からオフセットされている、請求項９に記載のターボ機械（１０）。
【請求項１１】
前記ブッシュ（１０２）が、前記第１のフランジボア孔（４０）及び前記第２のフランジボア孔（６０）のうちの一方に固定接続され、前記ピン（１０４）が、前記ブッシュ（１０２）と前記第１のフランジボア孔（４０）及び前記第２のフランジボア孔（６０）のうちの他方とに固定接続される、請求項６に記載のターボ機械（１０）。
【請求項１２】
前記第１のケーシング（３２）がタービンケーシングであり、前記第２のケーシング（５２）が排気ケーシングである、請求項６に記載のターボ機械（１０）。
【請求項１３】
前記第１のフランジボア孔（４０）の長手方向軸線が前記第２のフランジボア孔（６０）の長手方向軸線からオフセットされている、請求項６に記載のターボ機械（１０）。
【請求項１４】
ガスタービンシステム（１０）の第１のケーシング（３２）と第２のケーシング（５２）とを共に結合する方法であって、
前記第１のケーシング（３２）又は前記第２のケーシング（５２）のフランジ（３８，５８）に定められたボア孔（４０，６０）にブッシュ（１０２）を挿入するステップと、
前記第１のケーシング（３２）又は前記第２のケーシング（５２）の他方のケーシングのフランジ（３８，５８）に定められた嵌合ボア孔（４０，６０）と整列するよう前記ブッシュ（１０２）を回転させるステップと、
前記ブッシュ（１０２）内にピン（１０４）を挿入するステップと、
前記第１のケーシング（３２）又は前記第２のケーシング（５２）の他方のケーシングのフランジ（３８，５８）に定められた嵌合ボア孔（４０，６０）と整列するよう前記ピン（１０４）を回転させるステップと、
前記ピン（１０４）を前記嵌合ボア孔（４０，６０）内に挿入するステップと、を含み、前記ブッシュ（１０２）及びピン（１０４）が各々偏心特徴要素を含む、方法。
【請求項１５】
前記第１のケーシング（３２）のフランジに定められた前記ボア孔（４０，６０）の長手方向軸線が、前記第２のケーシング（５２）のフランジに定められた前記ボア孔（４０，６０）の長手方向軸線からオフセットされている、請求項１４に記載の方法。
【発明の詳細な説明】
【技術分野】
【０００１】
本開示は、全体的に、ガスタービンシステムなどのターボ機械に関し、より詳細には、ターボ機械の嵌合ケーシング（例えば、タービンケーシング及び排気ケーシング）を共に結合するための方法及び装置に関する。
【背景技術】
【０００２】
ターボ機械は、発電などの分野において広く利用されている。例えば、従来のガスタービンシステムは、圧縮機セクション、燃焼器セクション、及び少なくとも１つのタービンセクションを含む。圧縮機セクションは、空気が圧縮機セクションを流れるときに空気を圧縮するよう構成される。次いで、空気は、圧縮機セクションから燃焼器セクションに流れ、ここで燃料と混合して燃焼し、高温のガス流を発生する。高温のガス流は、タービンセクションに提供され、該タービンセクションは、これからエネルギーを取り出して、圧縮機、発電機、及び他の様々な負荷に動力を供給することにより高温ガス流を利用する。通常、ガスタービンシステムなどのターボ機械の種々の構成要素を内包し保護するために、様々なケーシングが利用される。例えば、タービンケーシングは、ガスタービンシステムのタービンセクションの少なくとも一部を囲むことができ、排気ケーシングは、ガスタービンシステムの排気セクションの少なくとも一部を囲むことができる。これらのケーシングは通常、ケーシングの嵌合フランジを貫通して延びるボルトを用いて共に結合される。
【０００３】
しかしながら、通常知られている結合装置の使用は、かかるセクションを共に結合する場合には様々な欠点を示す可能性がある。例えば、一部の事例では、タービンケーシング及び排気ケーシング又は他の嵌合ケーシングの初期組み立て中に、それぞれのフランジに定められたそれぞれの位置合わせボア孔（初期ボルト孔又は追加の位置合わせ孔とすることができる）が整列していないことが分かる場合がある。このような位置ずれはまた、初期組み立て後で、例えば、定期保守整備、補修、又は交換作業の後の再組み立ての際にも起こる可能性がある。
【０００４】
現在のところ、かかる位置ずれが生じたときには、貫通して延びるボルトのために新規の位置合わせボア孔をフランジに孔開けしなければならない。しかしながら、かかる作業は、多大な時間を必要とし、それぞれのフランジを脆弱にする可能性がある。
【０００５】
従って、ターボ機械の嵌合ケーシングを結合するための改善された方法及び装置が当該技術分野で望ましいことになる。詳細には、それぞれのケーシング間の位置ずれを補償できる方法及び装置が有利となる。
【先行技術文献】
【特許文献】
【０００６】
【特許文献１】米国特許第５，８４８，８７４号明細書
【発明の概要】
【０００７】
本発明の態様及び利点は、その一部を以下の説明に記載しており、又はこの説明から明らかにすることができ、或いは本発明を実施することにより理解することができる。
【０００８】
１つの実施形態において、本開示は、第１のケーシングと第２のケーシングとを共に結合するための結合装置に関する。第１のケーシング及び第２のケーシングは、その嵌合フランジに定められ且つ位置ずれすることができる嵌合ボア孔を含む。結合装置は、嵌合ボア孔のうちの一方内に挿入可能及び位置付け可能にされたブッシュと、ブッシュ並びに嵌合ボア孔のうちの他方内に挿入可能及び位置付け可能にされたピンと、を含むことができる。ブッシュ及びピンは各々、ボア孔が位置ずれしたときに嵌合ボア孔内への挿入を可能にし、従って、第１のケーシングと第２のケーシングとを共に結合することを可能にする偏心特徴要素を含むことができる。
【０００９】
別の実施形態において、本開示は、ターボ機械に関する。ターボ機械は、第１のケーシングと第２のケーシングとを含むことができ、更に、第１のケーシングと第２のケーシングとを共に結合するため本明細書で開示された１又はそれ以上の結合装置を含むことができる。
【００１０】
別の実施形態において、本開示は、第１のケーシングと第２のケーシングとを共に結合する方法に関する。本方法は、第１のケーシング又は第２のケーシングのフランジに定められたボア孔にブッシュを挿入するステップと、第１のケーシング又は第２のケーシングの他方のケーシングのフランジに定められた嵌合ボア孔と整列するようブッシュを回転させるステップと、ブッシュ内にピンを挿入するステップと、第１のケーシング又は第２のケーシングの他方のケーシングのフランジに定められた嵌合ボア孔と整列するようピンを回転させるステップと、ピンを嵌合ボア孔内に挿入するステップと、を含むことができる。ブッシュ及びピンは各々、ボア孔が位置ずれしたときに嵌合ボア孔内への挿入を可能にし、従って、第１のケーシングと第２のケーシングとを共に結合することを可能にする偏心特徴要素を含むことができる。
【００１１】
本発明のこれら及び他の特徴、態様、並びに利点は、以下の説明及び添付の請求項を参照するとより理解できるであろう。本明細書に組み込まれ且つその一部を構成する添付図面は、本発明の実施形態を例証しており、本明細書と共に本発明の原理を説明する役割を果たす。
【００１２】
添付図を参照した本明細書において、当業者に対してなしたその最良の形態を含む本発明の完全且つ有効な開示を説明する。
【図面の簡単な説明】
【００１３】
【図１】本開示の１つの実施形態によるガスタービンシステムの概略図。
【図２】本開示の１つの実施形態によるガスタービンシステムの側面図。
【図３】本開示の１つの実施形態による、第１のケーシングと第２のケーシングとを共に結合する結合装置の断面図。
【図４】本開示の１つの実施形態による、結合装置の軸受部の底面図。
【図５】本開示の１つの実施形態による、結合装置の軸受部の側断面図。
【図６】本開示の１つの実施形態による、結合装置のピンの底面図。
【図７】本開示の１つの実施形態による、結合装置のピンの側面図。
【発明を実施するための形態】
【００１４】
次に、その１つ又はそれ以上の実施例を図面に示している本発明の実施形態について詳細に説明する。各実施例は、本発明の限定ではなく、例証として提供される。実際に、当業者であれば、本発明の範囲又は技術的思想から逸脱することなく、種々の修正及び変形を本発明において実施できる点は理解されるであろう。例えば、１つの実施形態の一部として例示され又は説明される特徴は、別の実施形態と共に使用して更に別の実施形態を得ることができる。従って、本発明は、そのような修正及び変形を特許請求の範囲及びその均等物の技術的範囲内に属するものとして保護することを意図している。
【００１５】
図１は、ターボ機械の概略図であり、この実施形態ではガスタービンシステム１０が示されている。本開示のターボ機械は、必ずしもガスタービンシステム１０である必要はなく、蒸気タービンシステム又は他の好適なシステムのような、あらゆる好適なタービンシステム又は他のターボ機械であってもよい点は理解されたい。図示のシステム１０は、圧縮機セクション１２と、以下で検討するように複数の燃焼器１５を含むことができる燃焼器セクション１４と、タービンセクション１６と、を含むことができる。圧縮機セクション１２及びタービンセクション１６は、シャフト１８により結合することができる。シャフト１８は、単一のシャフトであるか、又は共に結合されてシャフト１８を形成する複数のシャフトセグメントとすることができる。シャフト１８は更に、発電機又は他の好適なエネルギー貯蔵装置に結合することができ、或いは、例えば、電力系統に直接接続することができる。入口セクション１９は、圧縮機セクション１２に空気流を提供することができ、排気ガスは、タービンセクション１６から排気セクション２０を通って排出されて、システム１０又は他の好適なシステムにおいて排出及び／又は利用することができる。システム１０からの排気ガスは、例えば、大気中に排出され、又は蒸気タービン又は他の好適なシステムに流れ、もしくは熱回収蒸気発生器を通じて再利用することができる。
【００１６】
ここで図２を参照すると、ガスタービンシステム１０の側面図が例示されている。図示のガスタービンシステム１０は、ベースに装着されている。図示のように、ガスタービン１０は、様々なケーシングを含む。例えば、タービンセクション１６の少なくとも一部を囲むタービンケーシング３２が例示される。タービンケーシング３２は、略円筒形であり、１又はそれ以上のセクションから形成することができる。例えば、例示的な実施形態において、タービンケーシング３２は、上側ケーシング部分と下側ケーシング部分とを含むことができる。上側ケーシング部分は、通常、タービンセクション１６などへのアクセスを可能にするため、下側ケーシング部分から結合解除することができる。或いは、タービンケーシング３２は、１、３、４又はそれ以上の構成要素から形成することができる。タービンケーシング３２は更に、ほぼ下流側の端部（ガスタービンシステム１０を通る流れの全体の方向に対して）に配置されたフランジ３８を含むことができる。フランジ３８は、略円筒形とすることができ、該フランジ３８内に定められ且つその周りに環状に離間して配置された複数のボア孔４０を含むことができる。各ボア孔４０は、ガスタービンシステム１０の長手方向軸線４５に略平行な長手方向軸線又は中心線４２にほぼ沿って延びることができる。
【００１７】
更に、排気セクション２０の少なくとも一部を囲む排気ケーシング５２が例示されている。排気ケーシング５２は、略円筒形であり、１又はそれ以上のセクションから形成することができる。例えば、例示的な実施形態において、排気ケーシング５２は、上側ケーシング部分と下側ケーシング部分とを含むことができる。上側ケーシング部分は、通常、排気セクション２０などへのアクセスを可能にするため、下側ケーシング部分から結合解除することができる。或いは、排気ケーシング５２は、１、３、４又はそれ以上の構成要素から形成することができる。排気ケーシング５２は更に、ほぼ上流側の端部（ガスタービンシステム１０を通る流れの全体の方向に対して）に配置されたフランジ５８を含むことができる。フランジ５８は、略円筒形とすることができ、該フランジ５８内に定められ且つその周りに環状に離間して配置された複数のボア孔６０を含むことができる。各ボア孔６０は、ガスタービンシステム１０の長手方向軸線４５に略平行な長手方向軸線又は中心線６２にほぼ沿って延びることができる。
【００１８】
図２には、他の様々なケーシングが例示されている。例えば、入口ケーシング８０、圧縮機ケーシング８２、及び圧縮機吐出ケーシング８４が示されている。タービンケーシング３２及び排気ケーシング５２と同様に、かかるケーシングは、略円筒形であり、１又はそれ以上のセクションから形成することができる。更に、各ケーシング８０，８２，８４は、上流側及び／又は下流側フランジを含むことができ、これらのフランジは、他のケーシングのフランジと当接してケーシングに共に結合することができる。例えば、入口ケーシング８０の下流側フランジは、圧縮機ケーシング８２の上流側フランジと当接することができ、圧縮機ケーシング８２の下流側フランジは、圧縮機吐出ケーシング８４の上流側フランジと当接することができ、圧縮機吐出ケーシング８４の下流側フランジは、タービンケーシング３２の上流側フランジと当接することができる。
【００１９】
図２及び図３に更に例示されるように、タービンケーシング３２及び排気ケーシング５２のそれぞれのボア孔４０，６０は、共に嵌合してタービンケーシング３２及び排気ケーシング５２を結合することができる。例えば、それぞれのフランジ３８，５８は、ボア孔４０，６０がほぼ整列されることを求めて、共に当接することができる。上記で検討したように、フランジ３８，５８が共に当接したときには、ボア孔４０，６０は僅かにオフセットされる場合があり、その結果、ボア孔４０，６０が整列されないようになる。例えば、図３に示すように、ボア孔４０，６０は、これらボア孔４０，６０のそれぞれの長手方向軸線４２，６２が同軸ではないように位置ずれする場合がある。それでも尚、これらの事象では、タービンケーシング３２と排気ケーシング５２を共に結合することが依然として望ましいとすることができる。
【００２０】
従って、ここで図３〜７を参照すると、本開示は、ターボ機械の第１のケーシング３２と第２のケーシング５２を共に結合するための結合装置１００に関する。本開示は、タービンケーシング及び排気ケーシングが第１及び第２のケーシング３２，５２である実施形態を例示し記載しているが、略垂直方向に延びるフランジ及び軸方向に延びるボア孔を含む何れかの好適なターボ機械ケーシングが本開示の範囲及び技術的思想内にあることを理解されたい。図３に示すように、結合装置１００は、フランジ３８，５８が当接したときに、第１のケーシング３２及び第２のケーシング５２のフランジ３８，５８の嵌合ボア孔４０，６０を通って延びる。図示のように、長手方向軸線４２，６２は非同軸とすることができ、その結果、ボア孔４０，６０は位置ずれしている。従って、本開示による結合装置１００は、両方の嵌合ボア孔４０，６０を貫通して延びて、位置ずれしている場合でも第１のケーシング３２及び第２のケーシング５２を共に結合するのを可能にする偏心特徴要素を含むことができる。
【００２１】
例示的な実施形態において、ボア孔４０，６０は、異なる幅（又は直径）７０，７２及び断面積を有する点に留意されたい。例えば、図示のように、ボア孔４０の幅７０は、ボア孔６０の幅７２よりも大きい。代替として、ボア孔６０の幅７２がボア孔４０の幅７０よりも大きくてもよい。かかる相対的な幅は、本明細書で検討される偏心特徴要素と併用して、位置ずれ時にフランジ３８，５８の結合を可能にすることができる。
【００２２】
図３〜７に示すように、結合装置１００は、ブッシュ１０２及びピン１０４を含むことができる。ブッシュ１０２は、例示の第１のケーシングのボア孔４０のような嵌合ボア孔４０，６０のうちの１つにほぼ嵌め込むことができる。従って、ブッシュ１０２は、ボア孔４０，６０と係合したときにボア孔の内面１１２と近接又は接触する外面１１０を含むことができる。ブッシュ１０２は更に、長手方向軸線又は中心線１１６に沿って貫通して延びるボア孔１１４を含むことができる。有利には、ボア孔１１４は、ブッシュ１０２内で偏心して位置付けることができる。例えば、図示のように、ボア孔１１４の長手方向軸線１１６は、意図的に位置ずれされており、従って、ブッシュ１０２の長手方向軸線又は中心線１０２と非同軸にすることができる。図示のように、軸線１１６，１１８は、略平行であり、非同軸で離間して配置することができる。従って、ブッシュ１０２が最初にボア孔４０，６０内に位置付けられたときには、他の嵌合ボア孔４０，６０がボア孔１１４とほぼ整列されるまでは、ブッシュ１０２は、長手方向軸線１１８などの周りで回転することができる。この大まかな整列において、図３に例示されるように、他の嵌合ボア孔４０，６０の外周のほぼ全体は、ボア孔１１４内に長手方向で整列して収められ、その結果、ピン１０４がブッシュ１０２を貫通してボア孔１１４内に延びることができるようになる。
【００２３】
ピン１０４は、ボア孔１１４並びに例示の第２のケーシングのボア孔６０のような他の嵌合ボア孔４０，６０などのブッシュ１０２内にほぼ嵌め込むことができる。例えば、ピン１０４は、第１の部分１３０及び第２の部分１３２を含むことができる。第１の部分１３０は、ボア孔１１４内のようにブッシュ１０２内にほぼ嵌め込むことができ、他方、第２の部分１３２は、ブッシュ１０２をほぼ貫通して延びて、他の嵌合ボア孔４０，６０内にほぼ嵌め込むことができる。従って、第１の部分１３０は、ブッシュ１０２のボア孔１１４において係合したときに、ボア孔１１４の内面１３６と近接又は接触する外面１３４を含むことができる。第２の部分１３２は、例示の第２のケーシングのボア孔６０のような他の嵌合ボア孔４０，６０において係合したときに、他の嵌合ボア孔４０，６０の内面１４０と近接又は接触する外面１３８を含むことができる。
【００２４】
従って、図示の例示的な実施形態において、第２の部分１３２は、第１の部分１３０の幅及び断面積よりも小さい幅及び断面積を有することができる。更に有利には、第２の部分１３２は、第１の部分１３０に対して偏心して位置付けることができる。例えば、図示のように、第１の部分１３０の長手方向軸線又は中心線１４２は、意図的に位置ずれされており、従って、第２の部分１３２の長手方向軸線又は中心線１４４と非同軸にすることができる。図示のように、軸線１４２，１４４は、略平行であり、非同軸で離間して配置することができる。従って、ピン１０４が最初にブッシュ１０２のボア孔１１４内に及び／又はボア孔１１４に対して位置付けられたときには、第２の部分１３２が他の嵌合ボア孔４０，６０と整列されるまでは、ピン１０４は、長手方向軸線１４２のほぼ周りなどで回転することができる。整列すると、第２の部分１３２は、他の嵌合ボア孔４０，６０内に延びることができ、従って、第１の部分１３０は、ブッシュ１０２のボア孔１１４内に位置付けられる。
【００２５】
従って、ブッシュ１０２内でのピン１０４の位置付け及び係合により、第１のケーシング３２と第２のケーシング５２が共に結合することができる。更に、一部の例示的な実施形態において、ピン１０４及びブッシュ１０２は、ボア孔４０，６０内に係合されると、フランジ３８，５８など第１のケーシング３２及び／又は第２のケーシング５２に固定接続することができる。例えば、ブッシュ１０２は、内部にブッシュ１０２が配置されるボア孔４０，６０のうちの１つに溶接、ろう付け、接合、接着剤による張り付け、又は他の方法で固定接続することができる。ピン１０４は、ブッシュ１０２に溶接、ろう付け、接合、接着剤による張り付け、又は他の方法で固定接続することができる。このような固定接続は更に、結合装置１００による第１のケーシング３２と第２のケーシング５２の結合を促進することができる。
【００２６】
本開示は更に、第１のケーシング３２と第２のケーシング５２を共に結合する方法に関する。本方法は、例えば、第１のケーシング３２及び第２のケーシング５２の嵌合フランジ３８，５８を共に当接するステップを含むことができる。本方法は更に、嵌合フランジ３８，５８のうちの１つに定められたボア孔４０，６０内に偏心ブッシュ１０２を挿入して、長手方向軸線１１８の周りにブッシュ１０２を回転させ、嵌合フランジ３８，５８のうちの他方に定められたボア孔４０，６０とブッシュ１０２のボア孔１１４とを整列させるステップを含むことができる。本方法は更に、ブッシュ１０２内に偏心ピン１０４を挿入して該ピン１０４を回転させ、嵌合フランジ３８，５８のうちの他方に定められたボア孔４０，６０とピンの一部とを整列させるステップを含むことができる。本方法は更に、ピン１０４の一部を他のボア孔４０，６０内に挿入するステップを含むことができる。一部の実施形態において、ピン１０４は、ブッシュ１０２の回転後に挿入されて回転することができ、他の実施形態では、ピン１０４及びブッシュ１０２は、ほぼ同時に回転することができる点に留意されたい。例えば、一部の実施形態において、ブッシュ１０２及びピン１０４の両方を最初に挿入することができる。次いで、ブッシュ１０２及びピン１０４の両方を回転させて適切に位置合わせすることができる。次に、ピン１０４の一部を挿入することができる。
【００２７】
一部の実施形態において、本開示による方法は更に、ブッシュ１０２及びピン１０４をフランジ３８及び／又は５８などに固定接続するステップを含むことができる。
【００２８】
本明細書は、最良の形態を含む実施例を用いて本発明を開示し、また、あらゆる当業者が、あらゆるデバイス又はシステムを実施及び利用すること並びにあらゆる組み込み方法を実施することを含む本発明を実施することを可能にする。本発明の特許保護される範囲は、請求項によって定義され、当業者であれば想起される他の実施例を含むことができる。このような他の実施例は、請求項の文言と差違のない構造要素を有する場合、或いは、請求項の文言と僅かな差違を有する均等な構造要素を含む場合には、本発明の範囲内にあるものとする。
【符号の説明】
【００２９】
１０  ガスタービンシステム
２０  排気セクション
３２  タービンケーシング
３８  フランジ
４０  ボア孔
４２  長手方向軸線又は中心線（ボア孔の）
４５  長手方向軸線（ガスタービンシステムの）
５２  排気ケーシング
５８  フランジ
６０  ボア孔
６２  長手方向軸線又は中心線（ボア孔の）
１０２  ブッシュ
１０４  ピン
【図１】
2016531243.tif 000003
【図２】
2016531243.tif 000004
【図３】
2016531243.tif 000005
【図４】
2016531243.tif 000006
【図５】
2016531243.tif 000007
【図６】
2016531243.tif 000008
【図７】
2016531243.tif 000009
【国際調査報告】
2016531243.tif 000010
2016531243.tif 000011
2016531243.tif 000012